(57)【要約】【課題】Ｈ−ＡＲＱ方式は、低遅延で伝送および再伝送を発生させるために使用され、その第１の側面は、失敗した伝送で受信されたデータが引き続く再伝送にソフト結合され、受信成功の確率を増加させることが可能であるということである。チェイス結合またはインクリメンタル・リダンダンシのいずれかを適用された。【解決手段】データをノードＢに転送する無線送受信ユニットを含む無線通信システムにおいて、変調および符号化方式並びにトランスポート・ブロックサイズなどの、データ伝送パラメータが伝送時間間隔毎に動的に調整され、ＷＴＲＵおよびノードＢ間のデータ転送制御に使用されるハイブリッド自動再送要求処理が、必要に応じて起動されリリースされる。ＷＴＲＵは、ノードＢから受信されたデータ応答情報により、エンハンスト・アップリンクの専用チャンネルを通し、ノードＢにデータを送信、再送信する。ＷＴＲＵは送信するデータを待ち行列に入れ、データの送信状態を決定する。【選択図】図２
2012239202.tif 000002
【特許請求の範囲】
【請求項１】
エンハンストアップリンクデータの送信のためのトランスポートブロックサイズを選択するよう構成された少なくとも１つの回路を備え、
前記少なくとも１つの回路は、前記選択されたトランスポートブロックサイズにおいて利用可能なスペースを越えている媒体アクセス制御（ＭＡＣ）プロトコルデータユニット（ＰＤＵ）に応答して、前記ＭＡＣ  ＰＤＵを複数のセグメントにセグメント化するようさらに構成されており、
前記少なくとも１つの回路は、前記選択されたトランスポートブロックサイズを有しており、および、前記複数のセグメントの少なくとも１つを含んでいるトランスポートブロックを生成するようさらに構成されており、
前記少なくとも１つの回路は、エンハンストアップリンク信号として、前記トランスポートブロックサイズの表示とともに前記トランスポートブロックを送信するようさらに構成されていること
を特徴とする無線送受信ユニット（ＷＴＲＵ）。
【請求項２】
前記少なくとも１つの回路は、複数の同期ハイブリッド自動再送要求（ＨＡＲＱ）プロセスの１つを使用して、前記トランスポートブロックを送信するようさらに構成されていることを特徴とする請求項１に記載のＷＴＲＵ。
【請求項３】
前記少なくとも１つの回路は、無線ネットワークから、無線リソース制御（ＲＲＣ）構成情報を受信するようさらに構成されており、前記ＲＲＣ構成情報は、各々のＭＡＣ−ｄフロー毎に、そのＭＡＣ−ｄフローに対するハイブリッド自動再送要求（ＨＡＱＲ）再送信の数における制限を示していることを特徴とする請求項１に記載のＷＴＲＵ。
【発明の詳細な説明】
【背景技術】
【０００１】
本発明は、無線送受信ユニット（Wireless Transmit/Receive Unit：ＷＴＲＵ）およびノードＢを含む無線通信システムに関する。より詳細には、変調および符号化方式（Modulation and Coding Scheme：ＭＣＳ）並びにトランスポート・ブロック群（Transport Block Set：ＴＢＳ）サイズなどのデータ伝送パラメータを動的に調整し、ＷＴＲＵおよびノードＢ間のデータ転送を制御するために使用されるハイブリッド自動再送要求（Hybrid-Automatic Repeat Request：Ｈ−ＡＲＱ）の処理を割り当て、リリースする方法および装置に関する。
【０００２】
第３世代セルラーシステムにおいては、少ない伝送遅延時間、より高いスループット、および物理リソースのより効率的な使用を提供するべく設計されたエンハンスト・アップリンク（Enhanced Uplink：ＥＵ)動作へ取り込むために、適応変調符号化（Adaptive Modulation and Coding：ＡＭ＆Ｃ）、およびＨ−ＡＲＱ方式が検討されている。
【０００３】
ＡＭ＆Ｃ方式は、ＭＣＳが送信時間間隔（Transmit Time Interval：ＴＴＩ）毎に動的に調整されることを可能とし、それぞれのＴＴＩに対して、無線リソースを最も効率的に使用し、可能な限り高いデータ速度を提供するようにＭＣＳが選択される。
【発明の概要】
【発明が解決しようとする課題】
【０００４】
あまり堅固でない（less robust）ＭＣＳであれば、物理リソースの使用は少ないが、誤りに対してぜい弱となる。より堅固な（robust）ＭＣＳは、より多くの物理リソースを使用するが、誤りに対してより強い保護を与える。
【０００５】
Ｈ−ＡＲＱ方式は、低遅延で伝送および再伝送を発生させるために使用される。Ｈ−ＡＲＱ方式の第１の側面は、失敗した伝送で受信されたデータが引き続く再伝送にソフト結合され、受信成功の確率を増加させることが可能であるということである。チェイス結合（Chase Combining：ＣＣ）またはインクリメンタル・リダンダンシ（付加的冗長性、Incremental Redundancy：ＩＲ）のいずれかを適用することができる。ＣＣが適用されるとき、再送信に対して同一のＭＣＳが選択される。ＩＲが適用されるときは、それぞれの再送信においてはより堅固なＭＣＳが使用される。
【課題を解決するための手段】
【０００６】
本発明は、データをノードＢへ転送するＷＴＲＵを含む無線通信システムにおいて実装される。ＴＢＳサイズなどのデータ伝送パラメータは、ＴＴＩ毎に動的に調整される。選択的に、ＭＣＳもまた調整することができる。必要に応じて、ＷＴＲＵおよびノードＢの間のデータ転送を制御するために使用されるＨ−ＡＲＱ処理が割り当てられ、リリースされる。ノードＢから受信された応答情報により、ＷＴＲＵは、エンハンスト・アップリンク（Enhanced Uplink：ＥＵ)の専用チャンネル（Enhanced uplink Dedicated CHannel：Ｅ−ＤＣＨ）を通して、ノードＢへデータを送信し、再送信する。ＷＴＲＵは送信するデータを待ち行列に入れ（queue）、データの送信状態を決定する。送信状態は、ＷＴＲＵにおける制御装置によって、「新規送信」、「送信成功」、「再送信」、および「送信再起動」のうちの１つに設定される。ＷＴＲＵは、それぞれのＴＴＩに対して、再送信番号、新規データ表示、割り当てられたＨ−ＡＲＱ処理、ＴＢＳサイズ、および任意的なＭＣＳを、明示的または暗示的に特定するノードＢへのＥＵ送信を起動する。
【０００７】
送信状態は、ＷＴＲＵにおける制御装置によって、データが新規データである場合は「新規送信」に、ノードＢから肯定応答（ＡＣＫ）メッセージが受信された場合は「送信成功」に、新規データの送信に対応してノードＢから否定応答（ＮＡＣＫ）メッセージが受信されたか無応答の場合は「再送信」に、並びに再送信カウントが予め定められた再送信の最大数を超えた場合は任意的に「送信再起動」に、それぞれ設定される。
【０００８】
送信状態が「新規送信」であれば、最初のＨ−ＡＲＱ処理が割り当てられる。送信状態が「再送信」であれば、再送信カウントを増加させ、同一のＨ−ＡＲＱ処理が割り当てられる。送信が「送信成功」であれば、Ｈ−ＡＲＱ処理がリリースされる。任意的であるが、送信状態が「送信再起動」であれば、再送信カウントを初期化し、新規データインジケータ（New Data Indicator：ＮＤＩ）を増加させ、Ｈ−ＡＲＱ処理が割り当てられる。
【０００９】
一例として与えられ、添付された図面とともに理解されるべき、好適な実施例に関する以下の記述から、本発明をより詳細に理解することができる。              
【発明の効果】
【００１０】
以上説明したように、本発明により、データをノードＢに転送する無線送受信ユニットを含む無線通信システムにおいて、変調および符号化方式並びにトランスポート・ブロック群サイズなどの、データ伝送パラメータが伝送時間間隔毎に動的に調整され、ＷＴＲＵおよびノードＢ間のデータ転送制御に使用されるハイブリッド自動再送要求処理が、必要に応じて起動されリリースされるシステムが提供される。
【図面の簡単な説明】
【００１１】
【図１】本発明に従って動作する無線通信システムのブロック図である。
【図２】本発明による、Ｈ−ＡＲＱ処理を起動し、リリースする処理のフロー図である。
【図３】本発明による、ＣＣを実施する方法ステップを含む処理のフロー図である。
【図４】本発明による、ＩＲを実施する方法ステップを含む処理のフロー図である。
【発明を実施するための形態】
【００１２】
これ以後、用語「ＷＴＲＵ」は、限定するものではないが、ユーザ装置（User Equipment：ＵＥ）、移動体端末、固定または移動体の加入者ユニット、ページャ、または無線環境において動作可能ないかなる他のタイプの装置をも含む。用語「ノードＢ」は、これ以後参照された場合には、限定するものではないが、基地局、サイト制御装置、アクセスポイント、または無線環境におけるいかなる他のタイプのインタフェース装置をも含む。
【００１３】
本発明の特徴は、集積回路（ＩＣ）に組み込むか、または多数の相互接続された部品を備える回路において構成することができる。
【００１４】
図１は、本発明に従って動作する無線通信システム１００のブロック図である。システム１００は、ＷＴＲＵ１０２、ノードＢ１０４、および無線ネットワーク制御装置（Radio Network Controller：ＲＮＣ）１０６を備えている。ＷＴＲＵ１０２は、起動されたＨ−ＡＲＱに基づいて、Ｅ−ＤＣＨ１０８を通して送信機１２０によりデータを送信し、ノードＢ１０４から下り回線（ＤＬ）シグナリングチャンネル１１０を通して受信機１２２によりフィードバックを受信する。ノードＢ１０４が、ＷＴＲＵ１０２によって送信されたデータの復号に失敗した場合、ノードＢ１０４はＤＬシグナリングチャンネル１１０を介してＷＴＲＵ１０２にＮＡＣＫメッセージを送信するか、または応答を送信しない（これはＷＴＲＵ１０２によりＮＡＣＫとして解釈される）。ノードＢ１０４が、ＷＴＲＵ１０２により送信されたデータの復号に成功すると、ノードＢ１０４はＷＴＲＵ１０２にＡＣＫメッセージを送信し、Ｈ−ＡＲＱ処理を他の送信のためにリリースする。Ｈ−ＡＲＱ処理は、ＣＣまたはＩＲのいずれかを実施するように設計することができる。ＲＮＣ１０６は、無線リソースの配分を含んで、ノードＢ１０４およびＷＴＲＵ１０２間で起こるデータ転送の総合的な動作を制御する。ＷＴＲＵ１０２は、Ｅ−ＤＣＨデータを格納するためのデータ・バッファ１１２、期間が過ぎたデータを廃棄する必要があるかどうかを決定するため使用される任意のデータ有効期間タイマ１１４、並びにＷＴＲＵ１０２により送信されたがノードＢ１０４によって受信されていないデータが再送されるべきであるか、Ｈ−ＡＲＱ伝送が終了されるべきであるか、もしくは任意的に再起動されるべきであるか、を決定するために使用される再送信カウンタ１１６を含む。バッファ１１２、有効期間タイマ１１４、および再送信カウンタ１１６は、制御装置１１８によって制御される。制御装置１１８は、Ｈ−ＡＲＱ処理に関連付けられたそれぞれの伝送の状態を設定する（すなわち、経過を記録する）。
【００１５】
図２は、本発明によるＨ−ＡＲＱ処理を制御する方法ステップを含む処理２００のフロー図である。Ｈ−ＡＲＱ処理は、同期式でも、または非同期式でも良い。同期式Ｈ−ＡＲＱ動作においては、ＷＴＲＵ１０２およびノードＢ１０４間のデータ伝送への応答が何時に予期されるかの経過をＷＴＲＵ１０２が追跡し、Ｈ−ＡＲＱ再送の周期性が予め定められる。非同期式Ｈ−ＡＲＱ動作においては、ＷＴＲＵ１０２は、データを送信し、予め定められた時間期間、フィードバックを待つ。
【００１６】
ＷＴＲＵ１０２がＨ−ＡＲＱ処理および再送信カウンタ１１６を起動した後に、ＷＴＲＵ１０２は、その時点のＴＴＩの間にＥ−ＤＣＨ１０８を介してノードＢ１０４にデータを送信する（ステップ２０２）。ステップ２０４において、ＷＴＲＵ１０２はノードＢ１０４からのフィードバックを待つ。ＷＴＲＵ１０２がノードＢ１０４からＡＣＫメッセージを受信した場合には、ＷＴＲＵ１０２は送信状態を「送信成功（successful transmission）」に設定し、Ｈ−ＡＲＱ処理をリリースし、引き続くデータ送信のため再送信カウンタ１１６を再起動する（ステップ２０８）。
【００１７】
ステップ２０６において、ＷＴＲＵ１０２がＮＡＣＫメッセージを受信したか、または何の応答も受信しなかった場合は、ＷＴＲＵ１０２は再送信カウンタ１１６により示される再送信カウントが、再送信の最大許容数以下であるかどうかを判定する（ステップ２１２）。
【００１８】
ステップ２１２において、判定された再送信カウントが再送信の最大許容数未満である場合は、ＷＴＲＵ１０２は送信状態を「再送信」に設定または維持し、再送信カウンタ１１６を増加させる（ステップ２１４）。再送信カウンタ１１６は、ＷＴＲＵ１０２により同一データが再送される毎に増加される。
【００１９】
ステップ２１２にて判定された再送信カウントが再送信の最大許容数以上の場合には、Ｈ−ＡＲＱ処理の送信は終了され、引き続くデータ送信に対応するために再設定される（ステップ２１３）。任意的に、ＷＴＲＵ１０２が送信状態を「送信再起動（restarted transmission）」に設定し、そして再送信カウンタを再起動する場合がある（ステップ２１６）。送信状態を「送信再起動」に設定した後に、ＷＴＲＵ１０２はＨ−ＡＲＱ送信処理を「新規送信」として再起動するか、またはＷＴＲＵ１０２が任意的にＨ−ＡＲＱ処理をリリースする場合がある（ステップ２１８）。
【００２０】
図３は、本発明によるＣＣを実施するための方法ステップを含む処理３００に関するフロー図である。処理３００は、ＴＴＩ毎に実行される（ステップ３０２）。ステップ３０４において、ＷＴＲＵ１０２は、ＥＵ物理リソースがノードＢ１０４により割り当てられているか、およびＥ−ＤＣＨ１０８を介してノードＢ１０４にデータを送信するためにＷＴＲＵ１０２がＨ−ＡＲＱ処理を利用可能であるか、を判定する。ＥＵ物理リソースが割り当てられていない場合には、ＷＴＲＵ１０２はＥＵ物理リソースの配分を待ち、データの伝送は次のＴＴＩまで遅れることになる（ステップ３０２）。ＥＵ物理リソースが配分され、Ｈ−ＡＲＱ処理が利用可能であれば、ＷＴＲＵ１０２は、データが新規データであるかどうかを判定する（ステップ３０６）。ステップ３０６においてデータが新規データであると判定された場合は、ＷＴＲＵ１０２は最優先データを選択し、送信する（ステップ３０８）。さらに、ＷＴＲＵ１０２は許容限界の中で最優先データの伝送を最大にするＭＣＳおよびＴＢＳサイズを選択する（ステップ３１０）。ＴＢＳサイズは、ノードＢ１０４がシグナリングした最大のＭＣＳおよびＴＢＳサイズ、Ｅ−ＤＣＨ１０８にとって利用可能な送信電力、ＭＣＳ、並びにバッファ１１２中で送信に対して利用可能なデータに基づいて選択される。
【００２１】
それぞれのトランスポート・チャンネル（Transport CHannel：ＴｒＣＨ）に対して、専用チャンネル媒体アクセス制御（dedicated channel Medium Access Control：ＭＡＣ−ｄ）のフローもしくは論理チャンネル、許容ＴＢＳサイズの一覧、再送信限界、並びに許容送信遅延（すなわち、ＭＡＣデータの「有効期間（lifespan）」）が決定される。許容可能なＭＣＳおよびＴＢＳサイズとは、その時点の物理リソース配分期間に対して、ＷＴＲＵ１０２が送信することを許容される最大のものである。その構成は、無線リソース管理（Radio Resource Control：ＲＲＣ）手順に従ってＲＮＣ１０６からシグナリングされるか、または標準規格によって一意に指定されるかのいずれかである。選択されたＭＣＳおよびＴＢＳサイズは、明示的にシグナリングされる（望ましくはノードＢから）ことができるか、またはチャンネル品質インジケータ（Channel Quality Indicator：ＣＱＩ）、および／またはＴＦＣ（Transport Format Combination）指標などの関連パラメータから導くことができるかのいずれかである。ＣＱＩは、ＷＴＲＵに許容される最大の干渉または送信電力を表すことができる。ノードＢ１０４は、最初のチャンネル割り当てにおいてこの情報をシグナリングすることができる。あるいはノードＢ１０４は、ＷＴＲＵ１０２が追加的ＥＵチャンネル配分を要求して来たときに、この情報を送ることができる。
【００２２】
次にＷＴＲＵ１０２は、ステップ３１２において、選択されたＴＢＳサイズに基づき少なくとも１つのＥＵ  ＭＡＣ（ＭＡＣ−ｅ）プロトコル・データ・ユニット（Protocol Data Unit：ＰＤＵ）を生成し、そしてそのＭＡＣ−ｅ  ＰＤＵの送信のためのＨ−ＡＲＱ処理を割り当てる。ステップ３１４において、ＷＴＲＵ１０２は再送信カウンタ１１６を初期化し、ＮＤＩを増加させ、かつ任意的にＷＴＲＵ１０２中の有効期間タイマ１１４を設定する。新規データがいつ送られているか、および、送信されているＨ−ＡＲＱ処理に関連付けられたソフト・バッファをノードＢ１０４がいつクリアする必要があるかを示すために、ＮＤＩが使用される。再送信カウンタ１１６の初期値が、新規データの送信と解釈できる場合があり、このような場合にはＮＤＩパラメータは必要ない。次にＷＴＲＵ１０２は、その時点のＨ−ＡＲＱ処理、ＴＢＳサイズ（ノードＢ１０４が割り当てていない場合に）、およびＭＣＳを特定するＥＵ送信を、ノードＢ１０４に対して起動する。Ｈ−ＡＲＱ処理およびＭＣＳは、指定されたＨ−ＡＲＱ処理動作によりノードＢ１０４によって暗示的に知ることができ、そのため、ＷＴＲＵ１０２によってノードＢ１０４にシグナリングされる必要はない場合がある。
【００２３】
ＣＣがサポートされている場合には、物理チャンネル配分においてＴＢＳがノードＢ１０４によって特定されていない限りは、ノードＢ１０４に対してそれぞれの送信および再送信についてＴＢＳサイズ情報が特定される。ＣＣの場合には、再送信は最初の送信において適用されたものと同一のＭＣＳおよびＴＢＳを有する。
【００２４】
ステップ３０６に戻って、データが新規データでないと判定されると、ＷＴＲＵ１０２が有効期間タイマ１１４を利用するかどうかについて判定される（ステップ３１５）。ＷＴＲＵ１０２が有効期間タイマ１１４を利用するなら、処理３００はステップ３１６に進み、有効期間タイマ１１４が満了しているかどうかを判定する。有効期間タイマ１１４が満了していれば、ＷＴＲＵ１０２はデータを廃棄し、Ｈ−ＡＲＱ処理をリリース（解放）し（ステップ３１８）、処理３００はステップ３０２に戻る。有効期間タイマ１１４が満了近くのときには、ＷＴＲＵ１０２は、任意的に送信成功の確率を増加させるためにより堅固なＭＣＳを使用することができる。
【００２５】
データ送信が不成功で、そのためノードＢ１０４から肯定応答を受けられない場合は毎回、ＷＴＲＵ１０２中の再送信カウンタ１１６が増加される。有効期間タイマ１１４がまだ満了していない場合、またはＷＴＲＵ１０２が有効期間タイマ１１４を利用していない場合は、処理３００はデータの再送信のためにステップ３２０に進む。ここで、ＷＴＲＵは、再送信カウントが許容再送信の最大数未満であるかどうかを判定する。再送信カウントが許容再送信の最大数未満である場合は、送信状態は「再送信」として設定されるか、または「再送信」が維持され、ＷＴＲＵ１０２は再送信カウンタ１１６を増加させ（ステップ３２２）、そして同一のＨ−ＡＲＱ処理、ＴＢＳ、ＭＣＳ、およびＮＤＩ（再送信カウンタと合体されていない場合）を使用する（ステップ３２４）。次にＷＴＲＵ１０２は、ノードＢ１０４に対して、Ｈ−ＡＲＱ処理（これは暗示的に知ることができ、そしてノードＢ１０４にシグナリングされる必要はない場合がある）、ＴＢＳサイズ（ノードＢ１０４により割り当てられていない場合）、および関連付けられた物理制御チャンネルにおけるＭＣＳを特定するＥＵ送信を起動する（ステップ３３０）。
【００２６】
再送信カウントが許容再送信の最大数以上となった場合には、処理３００はステップ３１８に進み、データを廃棄し、Ｈ−ＡＲＱ処理をリリースする。あるいは、任意的ステップ３２５において再起動された送信が許可されるべく判定された場合には、送信状態は「送信再起動」に設定され、ＷＴＲＵ１０２は再送信カウンタ１１６を初期化し、ＮＤＩを増加させ、新規Ｈ−ＡＲＱ処理を割り当てる（ステップ３２６）。ソフト結合バッファに格納されている以前に送信されたデータが引き続く再送信を混乱させる（disrupt）場合には、送信成功の確率を増加させるために、ソフト・バッファをクリアし、そしてＨ−ＡＲＱ送信を再起動する方が良い。したがって、特定のＨ−ＡＲＱ処理に対して再送信の最大数に到達した場合には、ＮＤＩ（または、初期化された再送信カウント）が送信され、Ｈ−ＡＲＱ送信が再起動されたことを示す。ノードＢ１０４が増加されたＮＤＩ（または初期値に設定された送信カウント）を受信すると、ノードＢ１０４はソフト結合バッファから以前に受信されたデータをクリアする。
【００２７】
ステップ３２８において、同一ＴＢＳを使用して新規Ｈ−ＡＲＱ送信が起動され、任意的に、配信成功の確率を増加させるために「新規送信」に対してより堅固なＭＣＳを選択することができる（ステップ３２８）。ＭＣＳにおけるこの変更を可能とするために、ＴＢＳをいくつかの独立した送信に分割することができる。送信がより多くの冗長性をもって（ＭＣＳの変更、または単にパンクチャがより少ないがためのいずれかにより）再起動された場合には、割り当てられた物理リソースには前のＴＢＳが適合しない場合がある。この場合には、元の送信を、要求条件を超過しない複数の独立した送信に分割することができる。次にＷＴＲＵ１０２は、ノードＢに対して、その時点のＨ−ＡＲＱ処理（ノードＢとしては暗示的に知ることができる）、ＴＢＳサイズ、および関連付けられた物理制御チャンネルにおけるＭＣＳ（ノードＢにより割り当てられていない場合）を特定するＥＵ送信を起動する（ステップ３３０）。
【００２８】
図４は、本発明によるＩＲを実施する方法ステップを含む処理４００のフロー図である。処理４００は、ＴＴＩ毎に実行される（ステップ４０２）。ステップ４０４において、ＷＴＲＵ１０２は、ＥＵ物理リソースがノードＢ１０４により割り当てられているか、およびＥ−ＤＣＨ１０８を介してノードＢ１０４にデータを送信するためにＷＴＲＵ１０２がＨ−ＡＲＱ処理を利用可能であるか、を判定する。ＥＵ物理リソースが割り当てられていない場合は、ＷＴＲＵ１０２はＥＵ物理リソースの配分を待ち、データの伝送は次のＴＴＩまで遅れることになる（ステップ４０２）。ＥＵ物理リソースが配分され、Ｈ−ＡＲＱ処理が利用可能であれば、ＷＴＲＵ１０２は、データが新規データであるかどうかを判定する（ステップ４０６）。ステップ４０６においてデータが新規データであると判定された場合は、ＷＴＲＵ１０２は最優先データを選択し、送信する（ステップ４０８）。さらに、ＷＴＲＵ１０２は最大のＴＢＳサイズと、許容される中で最も堅固なＭＣＳを使用して最優先データの伝送を最大にする対応するＴＦＣとを選択する（ステップ４１０）。
【００２９】
次にＷＴＲＵ１０２は、ステップ４１２において、選択されたＴＢＳサイズに基づき少なくとも１つのＭＡＣ−ｅ  ＰＤＵを生成し、そのＭＡＣ−ｅ  ＰＤＵの送信のためのＨ−ＡＲＱ処理を割り当てる。ステップ４１４において、ＷＴＲＵ１０２は再送信カウンタ１１６を初期化し、ＮＤＩを増加させ、任意的にＷＴＲＵ１０２中の有効期間タイマ１１４を設定する。新規データがいつ送られているか、並びに、送信されているＨ−ＡＲＱ処理に関連付けられたソフト・バッファをノードＢ１０４がいつクリアする必要があるか、を示すために、ＮＤＩが使用される。再送信カウンタ１１６の初期値が、新規データの送信と解釈できる場合があり、このような場合にはＮＤＩパラメータは必要ではない。次にＷＴＲＵ１０２は、ノードＢ１０４に対して、その時点のＨ−ＡＲＱ処理、ＴＢＳサイズ、および関連付けられた物理制御チャンネルにおけるＭＣＳを特定するＥＵ送信を起動する（ステップ４３０）。Ｈ−ＡＲＱ処理およびＭＣＳは、指定されたＨ−ＡＲＱ処理動作によりノードＢ１０４によって暗示的に知ることができる。そのため、ＷＴＲＵ１０２によってノードＢ１０４にシグナリングされる必要はない場合がある。
【００３０】
ステップ４０６に戻って、データが新規データでないと判定されると、ＷＴＲＵ１０２が有効期間タイマ１１４を利用するかどうかについて判定される（ステップ４１５）。ＷＴＲＵ１０２が有効期間タイマ１１４を利用するなら、処理４００はステップ４１６に進み、有効期間タイマ１１４が満了しているかどうかを判定する。有効期間タイマ１１４が満了していれば、ＷＴＲＵ１０２はデータを廃棄し、Ｈ−ＡＲＱ処理をリリース（解放）し（ステップ４１８）、処理４００はステップ４０２に戻る。有効期間タイマ１１４が満了の近くにあるときには、ＷＴＲＵ１０２は、任意的に送信成功の確率を増加させるためにより堅固なＭＣＳを使用することができる。
【００３１】
データ送信が不成功で、そのためノードＢ１０４から肯定応答を受けられない場合は毎回、ＷＴＲＵ１０２中の再送信カウンタ１１６は増加される。有効期間タイマ１１４がまだ満了していない場合、またはＷＴＲＵ１０２が有効期間タイマ１１４を利用していない場合には、処理４００はデータの再送信のためにステップ４２０に進み、ＷＴＲＵ１０２は再送信カウントが許容再送信の最大数未満であるかどうかを判定する。再送信カウントが許容再送信の最大数未満である場合には、送信状態は「再送信」として設定されるか、または「再送信」が維持され、ＷＴＲＵ１０２は再送信カウンタ１１６を増加させ、許容されるならより堅固なＭＣＳを選択する（ステップ４２２）。ステップ４２４において、ＷＴＲＵ１０２は同一のＨ−ＡＲＱ処理、ＴＢＳ／ＴＦＣ、およびＮＤＩを使用する。
【００３２】
ＩＲに関しては、ＭＣＳおよびＴＢＳサイズを決定する際には、最も堅固なＭＣＳに対応すること、ＷＴＲＵ１０２において送信の準備ができているデータにより必要とされる条件、およびＷＴＲＵが利用可能な送信電力の３点を考慮に入れる。それぞれの再送信においては、同一のＴＢＳに対してより堅固なＭＣＳを選ぶことができる。それほど堅固でないＭＣＳでの最初の送信では、より大きいＴＢＳサイズが可能となるが、このサイズは、最も堅固なＭＣＳがその同一のＴＢＳに対応できるサイズまでに制限されてしまう。また、ＴＢＳを決定するためには、ＷＴＲＵが利用可能なＥＵに対する送信電力は、送信成功のために最も堅固なＭＣＳが必要とされてはいない場合があるにもかかわらず、許容される最も堅固なＭＣＳが考慮されねばならない。
【００３３】
再送信カウントが許容再送信の最大数以上となった場合には、処理４００はステップ４１８に進み、データを廃棄し、Ｈ−ＡＲＱ処理をリリースする。あるいはまた、任意的ステップ４２５において再起動された送信が許可されるべく判定された場合には、送信状態は「送信再起動」に設定され、ＷＴＲＵ１０２は再送信カウンタ１１６を初期化し、ＮＤＩを増加させ、新規Ｈ−ＡＲＱ処理を割り当てる（ステップ４２６）。ステップ４２８において、同一のＴＢＳ／ＴＦＣが使用され、ＭＣＳが選択される。
【００３４】
本発明の機能および要素が、好適な実施形態において、特定の組み合わせにて説明された。それぞれの機能または要素は、好適な実施形態の他の機能および要素なしに単独で、または本発明の他の機能および要素のあるなしにかかわらず様々な組み合わせによって、使用することが可能である。
【００３５】
本発明が、好適な実施形態とともに説明された。特許請求の範囲に概要を描かれているような本発明の範囲の中にある他の変形が可能なことも当業者には明らかであろう。
【産業上の利用可能性】
【００３６】
本発明は、無線送受信ユニットおよびノードＢを含む無線通信システムに利用することができる。
【符号の説明】
【００３７】
１００  無線通信システム
１０２  ＷＴＲＵ
１０４  ノードＢ
１０６  ＲＮＣ  
１１８  制御装置
１２０  送信機
１２２  受信機
【図１】
2012239202.tif 000003
【図２】
2012239202.tif 000004
【図３】
2012239202.tif 000005
【図４】
2012239202.tif 000006